(57)【要約】【課題】軽量かつ強度を確保し易い厚紙を用い、既成のカラーボックスの強度を変更する必要なく、使用勝手に優れたカラーボックス用引き出しとすることができるカラーボックス用引き出しを提供すること。【解決手段】  カラーボックスに区画形成された開口棚部内に配置されるカラーボックス用引き出しであって、厚紙製であって全体直方体箱状に形成され、収納時には前記開口棚部を閉塞するように配置される引出本体を備え、前記引出本体の前面部には把手部と兼用の空気穴が形成されている。【選択図】図１
0003221168.tif 000002
【実用新案登録請求の範囲】
【請求項１】
カラーボックスに区画形成された開口棚部内に配置されるカラーボックス用引き出しであって、
厚紙製であって全体直方体箱状に形成され、収納時には前記開口棚部を閉塞するように配置される引出本体を備え、
前記引出本体の前面部には把手部と兼用の空気穴が形成されていることを特徴とするカラーボックス用引き出し。
【請求項２】
前記引出本体は、前記開口棚部の内寸及び内部形状と同一の外寸及び外部形状を有すると共に組み立て可能に形成され、
前記前面部を含む四面の外周面部と、前記外周面部の各底縁部に折り曲げ可能に設けられた分割底部の組み付けにより構成される底面部と、前記外周面部の各上縁部に折り返し可能に設けられた内周面部と、前記前面部を形成する前記外周面部及び前記内周面部に設けられて、前記内周面部を内側に折り返したときに前記空気穴を構成するように同軸上に位置する穴部とを備えることを特徴とする請求項１に記載のカラーボックス用引き出し。
【請求項３】
前記引出本体の前記底面部には、別体の板状の内底面部が着脱可能に設けられ、前記内底面部の周縁部並びに前記内周面部の折り返し後の低縁部には、互いに係合可能な雌雄の異なる係合部が設けられていることを特徴とする請求項２に記載のカラーボックス用引き出し。
【請求項４】
前記外周面部の外表面部、前記内周面部の折り返し後の内表面部、及び、前記内底面部の内表面部には、カラーボックス本体の表面柄と同じ装飾が施されていることを特徴とする請求項３に記載のカラーボックス用引き出し。
【請求項５】
前記前面部は、前記外周面部と前記内周面部との間に配置され、内側に巻き込むように折り返し可能な内方面部を備えることを特徴とする請求項４に記載のカラーボックス用引き出し。
【請求項６】
前記前面部は、前記外周面部と前記内周面部との間に配置され、かつ、前記内周面部を折り返した際の前記外周面部又は前記内周面部の一方の対向面に接着固定された内方面部を備えることを特徴とする請求項４に記載のカラーボックス用引き出し。
【請求項７】
前記引出本体の少なくとも外表面部には防水加工が施されていることを特徴とする請求項１から請求項６の何れか１項に記載のカラーボックス用引き出し。
【考案の詳細な説明】
【技術分野】
【０００１】
本考案は、カラーボックスの開口棚部に装着されるカラーボックス用引き出しに関する。
【背景技術】
【０００２】
従来から、上下方向の複数段に区画形成された開口棚部を有する、いわゆるカラーボックスが販売されている。
【０００３】
このような従来のカラーボックスにあっては、一般に、軽量、安価をコンセプトとして販売されていることから、開口棚部を形成する仕切板も固定されているものが多い。一方、開口側面の片側若しくは両側をヒンジ結合した観音開き式の扉を有するものも商品として存在する。
【０００４】
一方、従来、複数段の収納棚部内に挿入配置される引き出しを設けた多用途収納棚も存在するが、このような多用途収納棚は、現在販売されているいわゆるカラーボックスとは異なり、家具としてのより確固とした体裁を有するものである（例えば、特許文献１等参照）。
【先行技術文献】
【特許文献】
【０００５】
【特許文献１】実全昭５８−０５５６３９号公報
【特許文献２】実開昭５５−１５２１４１号公報
【考案の概要】
【考案が解決しようとする課題】
【０００６】
したがって、このような、現在広く行きわたっているカラーボックスにおいて、開口棚部に引き出しを装着して、収納物を引き出し内に収納して外部から視認できないように収納整理して使用し、カラーボックスの使用品質を向上させたい、という要請が一般需要者の中に広く存在している。
【０００７】
しかしながら、カラーボックスは、合板により形成されているものが殆どであることから、外観品質の観点から同一材料である合板により引き出しを構成した場合、引き出し本体に所定の重量が発生してしまうことから、カラーボックス本体の構造上の耐久性を強化しなければならないという事情も生じることとなり、結果的に、製造コストが上昇してしまうこととなる。
【０００８】
本考案の課題は、上述のような課題を解決するために、軽量かつ強度を確保し易い厚紙を用い、既存のカラーボックスに対して容易に装着することができるカラーボックス用引き出しを提供することにある。
【課題を解決するための手段】
【０００９】
本考案に係るカラーボックス用引き出しは、上記課題解決のため、  カラーボックスに区画形成された開口棚部内に配置されるカラーボックス用引き出しであって、厚紙製であって全体直方体箱状に形成され、収納時には前記開口棚部を閉塞するように配置される引出本体を備え、前記引出本体の前面部には把手部と兼用の空気穴が形成されていることを特徴とする。
【００１０】
本考案に係るカラーボックス用引き出しは、厚紙製であって全体直方体箱状に形成され、収納時には前記開口棚部を閉塞するように配置される引出本体を備えている。この場合、厚紙は軽量かつ強度を確保し易い素材、構成であることが望ましい。そして、カラーボックス用引き出しは、カラーボックスに設けられた複数の開口棚部のうち、少なくとも任意の１段に対して開口棚部の大きさに最大限に適合しつつ、引き出し・押し入れ操作（以下、「移動操作」と称する）可能に配置されるものである。
【００１１】
この際、開口棚部の内周面とカラーボックス用引き出しの外周面との間は密閉性が高くなることから、カラーボックス用引き出しの移動操作の際には、棚部内の空気の圧縮及び吸引が行われ、スムーズな移動操作が行われなくなる可能性がある。
【００１２】
そこで、カラーボックス用引き出しの移動操作の際には、把手部を兼用した空気穴から外気の吸気（引き出し時）並びに内気の排気（押し入れ時）を移動操作に連動して行うことで、空気の圧縮及び吸引による移動抵抗を緩和させるように構成されている。
【００１３】
請求項２記載の考案は、前記引出本体は、前記開口棚部の内寸及び内部形状と同一の外寸及び外部形状を有すると共に組み立て可能に形成され、前記前面部を含む四面の外周面部と、前記外周面部の各底縁部に折り曲げ可能に設けられた分割底部の組み付けにより構成される底面部と、前記外周面部の各上縁部に折り返し可能に設けられた内周面部と、前記前面部に対応する前記外周面部及び前記内周面部に設けられて、前記内周面部を内側に折り返したときに前記空気抜け穴を構成するように同軸上に位置する穴部とを備えるものである。
【００１４】
したがって、本件考案に係るカラーボックス用引き出しにあっては、カラーボックスへの装着時には、開口棚部の内部の空隙全体を占めるように、開口棚部内に密着して配置される。
【００１５】
また、販売時等の装着前におけるコンパクトな折り畳み状態から、外周面部の下縁部に設けた分割底部の折り曲げ並びに外周面部の上縁部に設けた内周面部の折り返しだけで内外２層の周面構造の、所定の強度を有する箱形状に組み立てることができる。
【００１６】
請求項３記載の考案は、前記引出本体の前記底面部には、板状の内底面部が着脱可能に設けられ、前記内底面部の周縁部並びに前記内周面部の折り返し後の低縁部には、互いに係合可能な雌雄の異なる１つ以上の凹部又は凸部の少なくとも何れか一方が設けられているものである。
【００１７】
したがって、上方の開口部分から板状の内底面部を挿入し、内周面部との間で、雌雄の異なる凹部と凸部とを係合させることにより、底面部は内外２層構造として形成されている。
【００１８】
請求項４記載の考案は、前記外周面部の外表面部、前記内周面部の折り返し後の内表面部、及び、前記内底面部の内表面部には、前記開口棚部の表面柄と同じ装飾が施されているものである。
【００１９】
したがって、カラーボックス用引き出しを引き出す前においては外観上において一体感のある装飾性を確保することができ、カラーボックス用引き出しを引き出した中途状態においても一体感のある装飾性を確保することができる。
【００２０】
請求項５記載の考案は、前記前面部は、前記外周面部と前記内周面部との間に位置するように、内側に巻き込むように折り返し可能な１つ以上の内方面部を備えるものである。
【００２１】
したがって、前面部においては、外周面部に対して１つ以上の内方面部を１つ以上の巻き込むように折り返しつつ、外周面部の上縁部に連なる内周面部を折り返すことで多層構造を構成する。
【００２２】
請求項６記載の考案は、前記前面部は、前記外周面部と前記内周面部との間に配置され、かつ、前記内周面部を折り返した際の前記外周面部又は前記内周面部の一方の対向面に接着固定された内方面部を備えるものである。
【００２３】
したがって、前面部においては、外周面部又は内周面部に対して１つ以上の内方面部が接着固定された多層構造を構成する。
【００２４】
請求項７記載の考案にあっては、前記引出本体の少なくとも外表面部には防水加工が施されていることを特徴とする。
【考案の効果】
【００２５】
本考案によれば、現在、一般の需要者に広く使用されている、いわゆるカラーボックスの開口棚部に装着可能な引き出しを提供することができるため、需要者の、カラーボックスにおいて手軽に収納物を外部から見えない状態で収納しカラーボックスの使用品質を向上させたい、という要請に確実に応えることができる。
【００２６】
また、本考案に係るカラーボックス用引き出しは厚紙製であることから、引出本体の重量が小さく、合板等のカラーボックス本体の素材と同一の素材により引き出しを構成した場合に比してカラーボックスに対して重量により与える影響は非常に少ないことから、カラーボックスの強度、耐久性を低下させる事態もない。
【００２７】
さらに、本考案にあっては、引き出しが開口棚部の空隙を閉塞するように配置されるように構成されていることから、カラーボックス用引き出しの移動操作の際に開口棚部内の空気の圧縮、吸引作用が生じ、引き出しの移動操作の際に抵抗を生じ、操作に困難を生ずる可能性もありうるが、本考案にあっては、把手部を兼用した空気穴から外気の吸気（引き出し時）並びに内気の排気（押し入れ時）を移動操作に連動して行うことで、開口棚部内の空気による抵抗を緩和することができる。
【００２８】
その結果、本考案にあっては、軽量かつ強度を確保し易い厚紙を用い、既成のカラーボックス本体の強度を増加する等の方策を講じるような必要もなく、カラーボックスの製造コストをも上昇させることなく、需要者の要請に応じ、かつ使用勝手に優れたカラーボックス用引き出しを提供することができる。
【００２９】
請求項２記載の考案にあっては、本考案に係る引き出しのカラーボックスへの装着前においては、折り畳まれた状態を形成することができ、装着時に組み立てた際には、外周面部の下縁部に設けた分割底部の折り曲げ、並びに外周面部の上縁部に設けた内周面部の折り返しを行うのみで上方が開口した箱状に組み立てて、内外２層の周面構造を形成することができることから、販売時等の装着前の状態においては、例えば、折り畳まれた平面状態等のコンパクトな状態を形成することができると共に、装着時の組み立て状態においては、内外２層の周面構造を形成して、引き出しとしての所定の強度を確保することができる。
【００３０】
請求項３記載の考案にあっては、上方の開口部分から板状の内底面部を挿入し、雌雄の異なる凹部と凸部とを係合させることにより、容易に取り外すことができないように構成された内外２層構造の底面部とすることができ、厚紙製でありながら使用に耐える十分な強度を確保することが可能となる。
【００３１】
請求項４記載の考案にあっては、前記内周面部の折り返し後の内表面部、及び、前記内底面部の内表面部には、前記開口棚部の表面柄と同じ装飾が施されていることにより、カラーボックス用引き出しを引き出す前においては外観上の見掛けにおいて一体感のある装飾性を確保しつつ、カラーボックス用引き出しを引き出した中途状態においても一体感のある装飾性を確保することができる。
【００３２】
請求項５記載の考案にあっては、前面部においては、外周面部に対して１つ以上の内方面部を１つ以上の巻き込むように折り返しつつ、外周面部の上縁部に連なる内周面部を折り返すことで多層構造を構成するとすることにより、ユーザーの手による引き出しの引出操作又は押し入れ操作に伴い最も強度を必要とする前面部の強度を確保することができる。
【００３３】
請求項６記載の考案にあっては、前面部においては、内周面部を折り返した際の外周面部又は内周面部の一方の対向面に内方面部が接着固定されていることから、強固な多層構造を構成することができ、ユーザーの手による引き出しの引出操作又は押し入れ操作に伴い最も強度を必要とする前面部の強度を確保することができる。
【００３４】
請求項７記載の考案にあっては、前記引出本体の外表面部には防水加工が施されていることから、使用上の品質を向上させることができる。この場合、本考案に係るカラーボックス用引き出しは、厚紙製であることから、ＰＰコーティング等の防水加工を容易に施すことが可能である。
【図面の簡単な説明】
【００３５】
【図１】本考案に係るカラーボックス用引き出しの一実施の形態を示し、使用例の説明図である。
【図２】本考案に係るカラーボックス用引き出しの一実施の形態を示し、（ａ）〜（ｄ）は装着時の組み立て手順を時系列的に示す説明図である。
【図３】本考案に係るカラーボックス用引き出しの一実施の形態を示し、要部の拡大斜視図である。
【図４】本考案に係るカラーボックス用引き出しの他の実施の形態を示し、（ａ）〜（ｄ）は装着時の組み立て手順を時系列的に示す説明図である。大斜視図である。
【考案を実施するための形態】
【００３６】
次に、本考案に係る一実施の形態について図面を参照して説明する。
【００３７】
図１に示すように、本実施の形態に係るカラーボックス用引き出し１０にあっては、カラーボックス１の区画形成された複数の開口棚部２内に配置され、厚紙製であって全体直方体箱状に形成され、収納時には前記開口棚部２を閉塞するように配置される引出本体１１を備えている。また、引出本体１１の前面部１２には把手部と兼用の空気穴１６が形成されている。
【００３８】
カラーボックス用引き出し１０は、カラーボックス１の上下に隣接する複数段（図示例では、同一の高さ寸法の３段）に区画された開口棚部２の１段に対して１つを装着することができる。なお、図示例のように、３段のうちの２段に配置することもでき、もしくは、３段の全て、或いは、任意の１段に配置することもでき、使用者等の嗜好により適宜の使用例が可能である。
【００３９】
本実施の形態にあっては、カラーボックス用引き出し１０を構成する引出本体１１は、開口棚部２の内寸及び内部形状と同一の外寸及び外部形状を有しており、組み立て可能に形成されている。
【００４０】
また、本実施の形態にあっては、図１及び図２に示すように、引き出し１０の外周面部１３の外表面部、内周面部１５の折り返し後の内表面部、及び、内底面部１７の内表面部には、カラーボックス１本体の表面柄と同じ装飾、及び同一の着色が施されている。そして、前面部１２の中央部には、把手部と兼用の空気穴１６が形成されている。
【００４１】
カラーボックス用引き出し１０の具体的構成は、図２に示すように、引出本体１１は、組み立て可能に形成され、非使用時（例えば、販売時）には平面状であって、折り畳み可能な展開形状に構成されている。
【００４２】
即ち、前面部１２を含む四面の外周面部１３Ａ，１３Ｂ，１３Ｃ，１３Ｄと、外周面部１３Ａ，１３Ｂ，１３Ｃ，１３Ｄの各底縁部に折り曲げ可能に設けられた分割底部１４Ａ，１４Ｂ，１４Ｃ，１４Ｄの組み付けにより構成される底面部１４と、外周面部１３Ａ，１３Ｂ，１３Ｃ，１３Ｄの各上縁部に折り返し可能に設けられた内周面部１５Ａ，１５Ｂ，１５Ｃ，１５Ｄと、前面部１２を形成する外周面部１３Ａ及び内周面部１５Ａに設けられて、内周面部１５Ａを内側に折り返したときに空気穴１６を構成するように同軸上に位置する穴部１６Ａ，１６Ｂと、を備える。
【００４３】
外周面部１３Ａ，１３Ｃと内周面部１５Ａ，１５Ｂ，１５Ｃ，１５Ｄ、及び内方面部１８は、組み立て時に折り返して引出本体１１の周面部を形成するものであることから、同一の形状及び同一の大きさ寸法に形成されている。また、外周面部１３Ｂ、１３Ｄ及び内周面部１５Ｂ，１５Ｄも同様に組み立て時に折り返して引出本体１１の周面部を形成するものであることから、同一の形状及び同一の大きさ寸法に形成されている。
【００４４】
また、前面部１２においては、外周面部１３Ａと内周面部１５Ａとの間に位置するように、内側に巻き込むように折り返し可能な内方面部１８を備えている。この内方面部１８は内周面部１５Ａの前端部から折り畳み可能に延設されており、組み立て時には、折り畳まれて外周面部１３Ａと内周面部１５Ａとの間に介在して配置される。
【００４５】
したがって、本実施の形態にあっては、内方面部１８が設けられていることから、使用者等の引き出し・押し入れ操作によって荷重を受けるため、前面部１２においては、外周面部１３Ａ，１３Ｂ，１３Ｃ，１３Ｄに対して１つ以上の内方面部１８を巻き込むように折り返しつつ、外周面部１３Ａの上縁部に連なる内周面部１５Ａを折り返すことで、前面部１２を三層構造により構成することができ、使用者等によるカラーボックス用引き出し１０の、繰り返される押し入れ及び引き出しの操作に、カラーボックス用引き出し１０の前面部１２が耐えうるように構成されている。
【００４６】
また、引出本体１１の底面部１４には、引出本体１１とは別部材として形成され、底面部１４と同一の形状の板状の内底面部１７が着脱可能に配設される。
【００４７】
なお、内底面部１７の大きさ寸法は、内周面部１５として厚さを有する内周面部１５Ａ，１５Ｂ，１５Ｃ，１５Ｄが折り返されることから、その厚さを考慮した分だけ底面部１４よりも小さくされている。
【００４８】
即ち、分割底部１４Ａ，１４Ｂ，１４Ｃ，１４Ｄの個別の折り曲げによる組み付けられた後であって、内周面部１５Ａ，１５Ｂ，１５Ｃ，１５Ｄが折り返される前に、上方から内底面部１７を挿入して載置固定することにより底面部１４が形成されるものである。したがって、底面部１４は二層構造として形成されている。
【００４９】
この場合、内底面部１７の周縁部並びに内周面部１５Ａ，１５Ｂ，１５Ｃ，１５Ｄの折り返し後の低縁部には、図３に示すように、互いに係合可能な雌雄の異なる係合部１９が設けられている。
【００５０】
本実施の形態では、係合部１９は、互いに係合可能となるように、１つ以上の凹部１９Ａが内底面部１７に設けられると共に、内周面部１５（１５ａ、１５ｂ、１５ｃ、１５ｄ）に凸部１９Ｂが設けられている。
【００５１】
内底面部１７は、先に組み付けられたうえで、内周面部１５Ａ，１５Ｂ，１５Ｃ，１５Ｄが折り返されることから、内周面部１５Ａ，１５Ｂ，１５Ｃ，１５Ｄの厚みを考慮した分だけ内周面部１５の平断面積よりも小さい面積として形成されている。
【００５２】
本実の形態にあっては、内底面部１７には各長辺部において３カ所、短片部において２カ所の凹部１９Ａが形成されると共に、内周面部１５Ａ，１５Ｂ，１５Ｃ，１５Ｄの折り返し後の低縁部には、上記各凹部１９Ａに対応する部位に凸部１９Ｂが夫々設けられ、全体として１０カ所に凸部１９ｂが設けられている。
【００５３】
したがって、上方の開口部分から板状の内底面部１７を挿入し、雌雄の異なる凹部１９Ａと凸部１９Ｂとを係合させることにより、内底面部１７の脱落や内周面部１５の折り返しの戻りを抑制することができる。
【００５４】
それと共に、凹部１９Ａと凸部１９Ｂとが係合することにより、内底面部１７が前面部１２としての外周面部１３及び内周面部１５のストッパーとしても機能し、引出本体１１の剛性の向上に大きく寄与する。
【００５５】
その結果、本実施の形態に係るカラーボックス用引き出し１０は、厚紙製ではあるが、全体として所定の強度を有することから、内部に所望の収納物を収納して、問題なくカラーボックス用引き出しとして、引き出し又は押し入れ動作を行って経年的に使用することが可能となる。
【００５６】
なお、以下の説明においては、外周面部１３Ａ，１３Ｂ，１３Ｃ，１３Ｄ及び内周面部１５Ａ，１５Ｂ，１５Ｃ，１５Ｄは、特に位置を特定しない場合には、外周面部１３及び内周面部１５と総称する。
【００５７】
本実施の形態において、カラーボックス用引き出し１０は、上方に開口した箱状に形成され、外寸は開口棚部２の内寸と同一であって、直方体状の空隙である内部形状と同一の直方体の外部形状を有して形成され、開口棚部２の内周面部とカラーボックス用引き出し１０の外周面部との間は密着性が高いことから、引き出し・押し入れ操作の際に空気の流通が低下し、スムーズな移動操作が行われなくなる可能性がある。
【００５８】
そこで、カラーボックス用引き出し１０の移動操作時には、把手部を兼用した空気穴１６から外気の吸気（引き出し時）並びに内気の排気（押し入れ時）を行うように構成されていることから、使用者等は引き出し時には、空気穴１６に指を掛けてカラーボックス用引き出し１０を引き出し、また、押し入れ時には空気穴１６を塞ぐことなく解放した状態のまま押し入れ操作することにより、移動抵抗を緩和してスムーズに引き出しの移動操作を行うことが可能となる。
【００５９】
このように、カラーボックス用引き出し１０は、販売時等の、組み立て前におけるコンパクトな平面状の折り畳み状態から、外周面部１３Ａ，１３Ｂ，１３Ｃ，１３Ｄの下縁部に設けた分割底部１４Ａ，１４Ｂ，１４Ｃ，１４Ｄの折り曲げ並びに外周面部１３Ａ，１３Ｂ，１３Ｃ，１３Ｄの上縁部に設けた内周面部１５Ａ，１５Ｂ，１５Ｃ，１５Ｄの折り返しだけで箱状に組み立てることにより内外２層の周面構造の所定強度を有する引き出しを容易に構成することができる。
【００６０】
また、引出本体１１の底面部１４は、板状の内底面部１７が着脱可能に配設固定されることにより２層構造として形成され、内底面部１７の周縁部並びに内周面部１５Ａ，１５Ｂ，１５Ｃ，１５Ｄの折り返し後の低縁部には、図３に示すように、互いに係合可能な雌雄の異なる１つ以上の凹部１９Ａ又は凸部１９Ｂの少なくとも何れか一方が設けられている。
【００６１】
したがって、内底面部１７を挿入して雌雄の異なる凹部１９Ａと凸部１９Ｂとを係合させることにより、内底面部１７の脱落や内周面部１５の折り返しの戻りを抑制することができ、かつ同時に、カラーボックス用引き出し１０全体の剛性を、より確実に確保することができる。
【００６２】
さらに、外周面部１３の外表面部、内周面部１５の折り返し後の内表面部、及び、内底面部１７の内表面部には、開口棚部２の表面柄と同じ装飾が施されているため、カラーボックス用引き出し１０を引き出す前においては外観上において一体感のある装飾性を確保しつつ、カラーボックス用引き出し１０を引き出した中途状態においても一体感のある装飾性を確保し、カラーボックスの外観品質をより向上させることができる。
【００６３】
ところで、上記実施の形態では、内方面部１８が内周面部１５Ａの先端部に延設されて一体形成され、組み立て時には内方面部１８を内周面部１５Ａに重ねて巻き込んで折り返すように構成した場合を例に説明したが、内方面部は内周面部１５から分離して形成され内周面部に接着固定されるように構成されていてもよい。
【００６４】
図４は、内方面部２８が内周面部１５から分離して形成され、内周面部に接着固定されるように構成された場合を示す他の実施の形態である。
【００６５】
なお、前記実施の形態と構成的に同一の部材には同一の符号を付してその具体的な説明を省略し、前記実施の形態における前面部１２と構成的に異なる前面部２２について、説明する。
【００６６】
本実施の形態にあっては、前面部２２においては、外周面部２３Ａと内周面部２５Ａとの間に配置され、かつ、内周面部２５Ａを折り返した際の外周面部２３Ａ又は内周面部２５Ａの一方の対向面に接着固定された内方面部２８は、前記実施の形態における場合とは異なり、内周面部１５Ａの端縁部から一体に延設されて形成されておらず、別体の板材として形成されている。
【００６７】
内方面部２８を形成する板材は外周面部２３Ａと同一の素材であって、略同一の形状及び長さ寸法に形成されており、また、内周面部２５Ａの内側に配設された場合に、外周面部２３Ａに開設された穴部２６Ａ及び内側面部２５Ａに開設された穴部２６Ｂと貫通した状態となる部位に穴部２６Ｃが同一径で開設され、これにより、把手部として兼用される空気穴１６が構成されている。
【００６８】
内方面部２８は、組み立て時には、少なくとも外周面部１３が組みあがった時点では、前面部２２を構成する外周面部２３Ａの内側面部に配置されて、内周面部２５Ａが折り返される以前に、接着剤等により外周面部２３Ａの内側面部に貼着固定されるものである。その後、内周面部２５Ａが折り返されることにより前面部２２が形成される。
【００６９】
なお、内方面部２８は、図示の便宜上、図４（ｃ）の組み立て手順において外周面部２３Ａの内側面部に配置されるように示しているが、実際には、販売前（購入後の組み立て前）に、予め外周面部２３Ａの内側面部、若しくは、内周面部２５Ａの内側面部に接着剤等により貼着固定されているのが望ましい。
【００７０】
この際、把手部を兼用する空気穴１６の外側から使用者等が指を挿入し、ボックス内側に指を引っ掛けた状態でカラーボックス用引き出し１０の引き出し操作をするため、穴部２６Ｂの周辺の内周面部２５Ａに対して引き出し操作荷重が集中して掛かり易い。
【００７１】
そこで、内方面部２８は、内周面部２５Ａに貼り付けていれば、面部間に空間が存在しない密着した２層構造によって強度を確保することができ、特に、カラーボックス用引き出し１０を引き出す際の引き出し操作荷重に対する耐久性を確保し易くすることができる。
【００７２】
このように、本実施の形態にあっては、内方面部２８が設けられていることから、使用者等の引き出し・押し入れ操作によって発生する荷重に耐えうるように、前面部２２においては、外周面部２３Ａ（若しくは、内周面部２５Ａ）に対して内方面部２８を接着固定することにより、前面部２２を三層構造以上に構成することができる。
なお、本実施の形態にあっては、内方面部２８が一枚の板材により構成されている場合を例に説明したが、本実施の形態に限定されず、複数枚であってもよい。
【００７３】
なお、装飾並びに防水加工は、外観品質上や機能上の観点から、外表面部にのみを対象としてもよいし、外表面部と内表面部との両方を対象としてもよい。
【００７４】
また、防水処理は、ＰＰコーティング等の表面処理のほか、透明シートの貼り付け等でもよい。
【００７５】
また、本実施の形態に係るカラーボックス用引き出しは、カラーボックス用引き出しが、カラーボックスとセットで販売されるが、別売りとされるか否か、は限定されるものではない。
【００７６】
この際、例えば、カラーボックスとセットで販売される場合には、カラーボックスの内外の装飾とカラーボックス用引き出しの内外の装飾とを同一とすれば、よりセット感（一体感）を具備させることができるし、あえて異なる装飾とすることも可能である。
【００７７】
また、カラーボックスとは独立した商品としてカラーボックス用引き出しとして販売する場合には、例えば、カラーボックスの品番や型番に対応したサイズとして販売するとともに、カラーボックスと同じ装飾とする場合のほか、例えば、パステル調の色合い等のようにカラーボックスとは全く異なる装飾として、段数ごとに装飾を異ならせて使用するなど、使用者等の趣味嗜好に応じたものとすることも可能である。
【産業上の利用可能性】
【００７８】
以上説明したように、本発明に係るカラーボックス用引き出しはカラーボックスの開口棚部に装着されるカラーボックス用引き出し全般に有用である。
【符号の説明】
【００７９】
１  カラーボックス
２  開口棚部
１０  カラーボックス用引き出し
１１  引出本体
１２  前面部
１３  外周面部
１４  底面部
１５  内周面部
１６  空気穴
１６Ａ  穴部
１６Ｂ  穴部
１６Ｃ  穴部
１７  内底面部
１８  内方面部
１９  係合部
２２  前面部
２８  内方面部
【図１】
0003221168.tif 000003
【図２】
0003221168.tif 000004
【図３】
0003221168.tif 000005
【図４】
0003221168.tif 000006